(57)【特許請求の範囲】
【請求項１】
上部に製氷機の製氷部が設けられているとともに、この製氷部の下方にカート用空間が形成されている製氷架台と、
下面に移動手段が設けられて、前記製氷架台のカート用空間に収納かつ引出し可能であるとともに、前記製氷部で製氷された氷を貯氷する断熱材にて形成される貯氷カートとを備え、
前記製氷架台には、前記製氷部で製氷された氷がカート用空間に収納された貯氷カートに向かって落下すべく氷落下口が形成されており、
この製氷架台の氷落下口には、この氷落下口を開閉するシャッターが設けられているとともに、このシャッターの上方に満氷センサが設置されており、
前記貯氷カートの上面には、前記氷落下口から落下する氷を受け入れる氷受入開口が形成されていることを特徴とする製氷装置。
【請求項２】
前記シャッターが前記氷落下口を閉じたことを検知するシャッター閉検知センサが設けられ、
このシャッター閉検知センサが前記氷落下口の閉じられたことを検知すると、前記製氷機の製氷運転を停止させる制御装置が設けられていることを特徴とする請求項１記載の製氷装置。
【請求項３】
前記シャッターには回動自在な操作用ハンドルが設けられ、
前記シャッターが開位置にある際には、前記カート用空間に収納されている貯氷カートの引出しを妨げる引出防止位置に前記操作用ハンドルを回動することが可能なことを特徴とする請求項１または２記載の製氷装置。
【請求項４】
前記貯氷カートの氷受入開口には、氷受入開口用開閉扉が設けられ、
この氷受入開口用開閉扉には係合部が設けられ、
前記製氷架台には、貯氷カートのカート用空間への収納動作により氷受入開口用開閉扉を開けるべく前記氷受入開口用開閉扉の係合部に係合する開忘れ防止具が設けられていることを特徴とする請求項１、２または３記載の製氷装置。
【請求項５】
上部に製氷機の製氷部が設けられているとともに、この製氷部の下方にカート用空間が形成されている製氷架台と、
この製氷架台のカート用空間に収納かつ引出し可能であるとともに、前記製氷部で製氷された氷を貯氷する断熱材にて形成される移動可能な貯氷カートとを備え、
前記製氷架台には、前記製氷部で製氷された氷がカート用空間に収納された貯氷カートに向かって落下すべく氷落下口が形成されており、
前記貯氷カートの上面には、前記氷落下口から落下する氷を受け入れる氷受入開口が形成され、
この氷受入開口には氷受入開口用開閉扉が設けられ、
この氷受入開口用開閉扉には係合部が設けられ、
前記製氷架台には、貯氷カートのカート用空間への収納動作により氷受入開口用開閉扉を開けるべく前記氷受入開口用開閉扉の係合部に係合する開忘れ防止具が設けられていることを特徴とする製氷装置。
【請求項６】
前記貯氷カートの前後左右の少なくとも一側面には、氷取出口が設けられていることを特徴とする請求項１ないし５の何れか１項記載の製氷装置。
【請求項７】
前記貯氷カートの移動手段が、キャスターで構成されていることを特徴とする請求項１ないし６の何れか１項記載の製氷装置。
【発明の詳細な説明】
【０００１】
【発明の属する技術分野】
本発明は、製氷機で製氷した氷を貯氷する製氷装置に関するものである。
【０００２】
【従来の技術】
従来、この種の製氷装置は、例えば、特開平７−２１８０７３号公報（Ｆ２５Ｃ５／１８）に記載されているように、製氷機構を備える製氷ユニットと、この製氷ユニットにて製氷された氷を貯氷するため断熱材にて形成され、下端を支軸とした開閉扉にて前面開口を閉塞する貯氷ユニットと、この貯氷ユニット及び前記製氷ユニットの間に着脱自在に設けられると共に、断熱材にて形成され、前面開口を扉にて閉塞する増設貯氷ユニットとにより構成されている。
【０００３】
【発明が解決しようとする課題】
しかしながら、従来の製氷装置は製氷ユニット、貯氷ユニット及び増設貯氷ユニットを取り外し自在に形成し、前記増設貯氷ユニットの着脱によって製氷装置の貯氷量を変えられるようにしているが、貯氷ユニットを単独で移動させることができず、氷を離れた場所で使用する場合には、氷を別の容器に入れて運ばなければならない等の問題があった。
【０００４】
そこで、貯氷ユニットを移動可能にすることを検討した。しかしながら、貯氷ユニットにキャスターなどを設けて移動可能にしても、貯氷ユニットの上側に製氷ユニットが固定されていると、移動に労力を要するとともに、各貯氷ユニットに一個の製氷ユニットが必要となる。また、貯氷ユニットを移動させる際に、製氷ユニットから貯氷ユニットを取り外すとしても、製氷ユニットから貯氷ユニットを取り外す作業が必要となる。さらに、製氷ユニットの下側に貯氷ユニットがないと、製氷ユニットから氷が床などに落下し、床などを汚損することがある。この様に種々の問題が発生する。
【０００５】
本発明は、以上のような課題を解決するためのもので、貯氷ユニットを貯氷カートにして移動可能にするのに最適な製氷装置を提供することを目的としている。
【０００６】
【課題を解決するための手段】
本発明の製氷装置は、上部に製氷機（１０）の製氷部が設けられているとともに、この製氷部の下方にカート用空間（８）が形成されている製氷架台（１）と、下面に移動手段（５８）が設けられて製氷架台のカート用空間に収納かつ引出し可能であるとともに、製氷部で製氷された氷を貯氷する断熱材にて形成される貯氷カート（２）とを備えている。前記製氷架台には、前記製氷部で製氷された氷がカート用空間に収納された貯氷カートに向かって落下すべく氷落下口（９）が形成されており、この製氷架台の氷落下口には、この氷落下口を開閉するシャッター（１６）が設けられているとともに、このシャッターの上方に満氷センサ（１１）が設置されている。
【０００７】
そして、前記貯氷カートの上面には、前記氷落下口から落下する氷を受け入れる氷受入開口が形成されている。
【０００８】
さらに、前記シャッターが前記氷落下口を閉じたことを検知するシャッター閉検知センサ（３３）が設けられ、このシャッター閉検知センサが前記氷落下口の閉じられたことを検知すると、前記製氷機の製氷運転を停止させる制御装置（７１）が設けられていることがある。
【０００９】
そして、前記シャッターには回動自在な操作用ハンドル（２１）が設けられ、このシャッターが開位置にある際には、前記カート用空間に収納されている貯氷カートの引出しを妨げる引出防止位置に前記操作用ハンドルを回動することが可能な場合がある。
【００１０】
また、前記貯氷カートの氷受入開口には、氷受入開口用開閉扉（４１）が設けられ、この氷受入開口用開閉扉には係合部（４３）が設けられ、前記製氷架台には、貯氷カートのカート用空間への収納動作により氷受入開口用開閉扉を開けるべく前記氷受入開口用開閉扉の係合部に係合する開忘れ防止具（４６）が設けられていることがある。
【００１１】
さらに、前記貯氷カートの前後左右の少なくとも一側面に、氷取出口が設けられていることがある。
そして、前記貯氷カートの移動手段が、キャスターで構成されていることがある。
【００１２】
【発明の実施の形態】
次に、本発明における製氷装置の実施の形態を図１ないし図９を用いて説明する。図１は本発明にかかる製氷装置の実施の形態の説明図で、（ａ）が正面図、（ｂ）が側面図である。図２は貯氷カートの説明図で、（ａ）が正面図、（ｂ）が側面図、（ｃ）が平面図である。図３は製氷装置の説明図で、（ａ）がシャッターを閉めた状態での一部切欠き断面図、（ｂ）がシャッターを開けた状態での一部切欠き断面図、（ｃ）が（ｂ）のＣ矢視図である。図４はシャッター閉検知センサを設置した場合の製氷装置の説明図で、（ａ）が正面図、（ｂ）が一部切欠き断面図である。図５はシャッターの操作用ハンドルで貯氷カートの引出しを阻止する際の製氷装置の説明図で、（ａ）が阻止する前の状態の製氷装置の一部切欠き断面図、（ｂ）が阻止している状態での製氷装置の一部切欠き断面図である。図６はシャッターの操作用ハンドルの説明図で、（ａ）が正面図、（ｂ）が側面図である。図７は上面扉を自動的に開ける機構の説明図で、（ａ）が貯氷カートを引き出した状態での製氷装置の一部切欠き断面図、（ｂ）が貯氷カートを収納した状態での製氷装置の一部切欠き断面図である。図８は制御装置の入出力図である。図９は製氷運転の開始および停止のフローチャートである。なお、図６（ａ）において、ボルト、カラーおよびナットは取り外した状態で図示されている。また、図３ないし図５において、図面が複雑になり見にくくなるので、上面扉４１の図示が省略されている。
【００１３】
製氷装置は、製氷架台１と、貯氷カート２とで構成されている。製氷架台１は、上部に製氷ユニット６が設けられている。この製氷ユニット６は支持脚７で支持され、製氷ユニット６の下側にカート用空間８が形成されている。このカート用空間８は、貯氷カート２の収納引出しが可能な様に、前面（すなわち手前側の面）が開口している。製氷ユニット６の内部には、オーガ式製氷機、逆セル型製氷機、流下式製氷機等の製氷機１０（図８参照）が設けられている。この従来周知の製氷機１０は、冷凍サイクルを構成する圧縮機、凝縮器や冷却器などの機器を具備しており、この冷凍サイクルの冷却器で水を冷却して凍らせ、製氷を行っている。この冷却器などからなる製氷部で製氷された氷Ｄは、筒状の氷落下口９（図３参照）から製氷ユニット６の下方に落下している。この氷落下口９には、貯氷された氷Ｄを検知する満氷センサ１１が設けられている。この満氷センサ１１は、貯氷された氷Ｄを検知するとＯＮとなり、満氷信号であるＯＮ信号を出力し、一方、貯氷された氷Ｄを検知しない際にはＯＦＦとなり、減氷信号であるＯＦＦ信号を出力する。
【００１４】
また、製氷架台１には、氷落下口９の下面開口を開閉するシャッター１６が前後にスライド可能に設けられ、シャッター１６は、製氷架台１に設けられている前後のストッパー１７，１８間を移動することができる。このシャッター１６の前端には、操作用ハンドル２１が取付金具２２を介して上下に回動自在に取り付けられている。すなわち、図６に図示するように、この操作用ハンドル２１は、シャッター１６の前端部から前方に突出している取付金具２２に、ボルト２６、カラー２７およびナット２８で、左右方向に延在する水平軸を回転軸として回動自在に取り付けられている。シャッター１６の左右には、ローラー３１が回転可能に設けられ、円滑にスライドできるように構成されている。そして、前述の満氷センサ１１はシャッター１６よりも上方に配置されている。また、閉じているシャッター１６からの水を受けるドレンパン３２が製氷架台１に設けられている。
【００１５】
また、図４に図示するように、シャッター１６が氷落下口９を閉じていることを検出するシャッター閉検知センサ３３が製氷架台１に設けられている場合がある。このシャッター閉検知センサ３３はリミットスイッチであり、シャッター１６が閉位置にある際にはＯＮとなり、ＯＮ信号である閉信号を出力し、一方、シャッター１６が閉位置ではない場合、すなわち開位置にある際には、ＯＦＦとなり、ＯＦＦ信号である開信号を出力する。
【００１６】
貯氷カート２は、断熱材からなる断熱箱体であり、その上面には氷受入開口である上面開口が形成され、この上面開口には、氷受入開口用開閉扉である上面扉４１が開閉自在に設けられている。この上面扉４１はスライド扉で、上面前扉４１ａと上面後扉４１ｂとで構成されている。上面前扉４１ａおよび上面後扉４１ｂは前後にスライド可能であり、また、図７に図示するように、上面後扉４１ｂには後端に係合部４３が上方に突出して設けられている。一方、製氷架台１には、製氷ユニット６の下面に開忘れ防止具４６が突出して設けられている。そして、引き出されていた貯氷カート２を収納する時に、この収納動作途中において、閉まっている上面後扉４１ｂの係合部４３が開忘れ防止具４６に当接する。なお、その作動の詳細は後述する。
【００１７】
貯氷カート２の前面には、氷取出口が開口しており、この氷取出口に氷取出口用扉である前面扉５１が開閉自在に設けられている。この前面扉５１はヒンジ式となっている。また、貯氷カート２の前面の上部にはハンドル５３が設けられている。このハンドル５３を掴んで、押したり、また、引いたりして貯氷カート２を移動させることができる。さらに、貯氷カート２の前壁の裏面で、かつ、氷取出口の上方に、氷ガイド５６が設けられている。そして、貯氷カート２を移動可能にするために、貯氷カート２の下面には、移動手段としての車輪であるキャスター５８が設けられている。さらに、貯氷カート２の底部には、ドレン流路６１が形成され、このドレン流路６１の端部にドレンバルブ６２が設けられている。このドレンバルブ６２は、貯氷カート２の手前側すなわちハンドル５３配置側に設けられており、ハンドル５３の下方に位置している。したがって、貯氷カート２が、製氷架台１のカート用空間８に収納されている場合や、移動場所でのドレン水の排出を容易に行えるようになっている。
【００１８】
図８において、製氷装置の制御装置７１は、マイコンなどで構成され、製氷ユニット６に設けられている。そして、この制御装置７１には、種々の部品が接続されているが、本発明に関係する電気部品としては、入力側に、満氷センサ１１およびシャッター閉検知センサ３３が接続され、一方、出力側に、製氷機１０（より具体的には、製氷機１０の圧縮機、凝縮器用送風機、各種弁の駆動部、ポンプなど）が接続されている。
【００１９】
この様に構成されている製氷装置において、貯氷カート２に貯氷する際のフローを図９のフローチャートを用いて説明する。初期状態としては、製氷機１０の製氷運転は停止状態とする。そして、ステップ１において、制御装置７１はシャッター閉検知センサ３３の出力信号をチェックしており、閉信号であるＯＮ信号の場合（すなわち、シャッター１６が閉の場合）には、ステップ１に戻り待機している。一方、シャッター閉検知センサ３３の出力信号が開信号であるＯＦＦ信号の場合には、ステップ２に行く。
【００２０】
ステップ２において、制御装置７１は、満氷センサ１１の出力信号をチェックし、満氷信号であるＯＮ信号の場合には、ステップ１に戻る。一方、満氷センサ１１の出力信号が減氷信号であるＯＦＦ信号の場合には、ステップ３に行く。
ステップ３において、満氷センサ１１からＯＦＦ信号が制御装置７１に入力されると、制御装置７１は製氷機１０に製氷運転開始信号を出力する。すると、製氷機１０は製氷運転を開始する。この製氷運転は従来周知であるのでその詳細は割愛するが、制御装置７１は製氷機１０の圧縮機、送風機やポンプなどに稼働信号を出力する。そして、製氷機１０で製氷された氷Ｄは、氷落下口９から貯氷カート２内に落下する。ついで、ステップ４に行く。
【００２１】
ステップ４において、製氷運転の状態で、制御装置７１はシャッター閉検知センサ３３の出力信号をチェックしている。そして、閉信号であるＯＮ信号の場合には、ステップ６に行き、制御装置７１は製氷機１０に製氷運転停止信号を出力する。すると、製氷機１０は製氷運転を停止する。ついで、ステップ１に戻る。一方、ステップ４において、シャッター閉検知センサ３３の出力信号が開信号であるＯＦＦ信号の場合には、ステップ５に行く。
【００２２】
ステップ５において、制御装置７１は、満氷センサ１１の出力信号をチェックし、減氷信号であるＯＦＦ信号の場合には、ステップ４に戻り、製氷運転を維持する。一方、ステップ５において、満氷センサ１１の出力信号が満氷信号であるＯＮ信号の場合には、ステップ６に行き、制御装置７１は製氷機１０に製氷運転停止信号を出力する。すると、製氷機１０は製氷運転を停止する。ついで、ステップ１に戻る。
この様にして、シャッター１６が閉められると、製氷運転を停止する。また、シャッター１６が開いている状態では、貯氷カート２内に氷Ｄを貯氷し、満氷になると、製氷運転を停止している。
【００２３】
この様にして、制御手段である制御装置７１は、シャッター閉検知センサ３３からの入力信号を得る手段と、満氷センサ１１からの入力信号を得る手段と、シャッター閉検知センサ３３からの信号が閉信号の場合には製氷機１０に製氷運転停止信号を出力する手段と、満氷センサ１１からの信号が満氷信号の場合には製氷機１０に製氷運転停止信号を出力する手段と、シャッター閉検知センサ３３からの信号が開信号で、かつ、満氷センサ１１からの信号が減氷信号の場合には製氷機１０に製氷運転開始信号を出力する手段などを具備している。
この様に、制御装置は、上記手段以外にも、実行される各作用に対応して各々作用を実行する手段を具備している。また、上記に記載された手段の全てを具備している必要は必ずしもない。
【００２４】
この様に構成されている製氷装置を使用する際には、製氷架台１を厨房やバックヤードなどに設置する。各製氷架台１に対して、貯氷カート２は１台でも可能であるが、複数台設けることも可能である。そして、図７（ａ）に図示するように、製氷架台１から貯氷カート２が引き出されている状態から、貯氷カート２のハンドル５３を押しながら貯氷カート２を移動して、図７（ｂ）に図示するように、製氷架台１のカート用空間８に収納する。この収納の際に、上面後扉４１ｂが閉じている場合には、上面後扉４１ｂの係合部４３が、貯氷カート２の収納途中において製氷架台１の開忘れ防止具４６に係合する。そして、貯氷カート２をカート用空間８内に更に押し込むと、貯氷カート２の移動に伴って上面後扉４１ｂが手前側（すなわちハンドル５３配置側）に移動し開く。
【００２５】
ついで、シャッター１６の操作用ハンドル２１を掴んで、シャッター１６を手前側にスライドさせ、図３（ｂ）および図５（ａ）に図示する状態とする。この状態では、シャッター１６の操作用ハンドル２１は引出許容位置にあり、略水平となっており、貯氷カート２の引出しを妨げない。ついで、操作用ハンドル２１を下方に回動し、操作用ハンドル２１を貯氷カート２の手前側の壁に対して対向する位置である引出防止位置に移動させ、図５（ｂ）に図示する状態として、この操作用ハンドル２１で貯氷カート２の引出しを妨げる。この実施の形態では、操作用ハンドル２１を貯氷カート２のハンドル５３に係合させている。
【００２６】
そして、シャッター１６が開けられたので、シャッター閉検知センサ３３はＯＦＦとなる。したがって、満氷センサ１１がＯＮとなるか、または、再びシャッター１６が閉じられるまで、製氷機１０は製氷運転を行う。貯氷カート２がカート用空間８に収納されている状態でも、貯氷カート２の前面扉５１を開けて、貯氷カート２内の氷Ｄを取り出すことができる。また、製氷架台１の設置場所以外の場所で氷が必要な場合には、貯氷カート２をカート用空間８から引き出して、氷が必要な場所（たとえば、アイスベッドやカウンターの下など）に移動させる。カート用空間８から貯氷カート２を引き出す際には、まず初めに、操作用ハンドル２１を引出防止位置から上側に回動して略水平な引出許容位置とし、ついで、シャッター１６を奥側にスライドさせ、氷落下口９をシャッター１６で閉じる。シャッター１６を閉位置にすると、シャッター閉検知センサ３３がＯＮとなるので、製氷機１０が製氷運転をしている場合には、その製氷運転は停止する。なお、製氷機１０が製氷運転をしていない場合には、その製氷運転の停止状態を維持する。ついで、貯氷カート２のハンドル５３を掴んで、貯氷カート２をカート用空間８から引き出す。その際に、上面後扉４１ｂは開いているが、手で閉める。そして、任意の場所に移動する。貯氷カート２内の氷Ｄは、前面扉５１または上面扉４１を開けて取り出すことができる。
【００２７】
貯氷カート２がカート用空間８から引き出されると、別の貯氷カート２をカート用空間８に収納し、この別の貯氷カート２に貯氷することができる。
【００２８】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）シャッター閉検知センサ３３は、必ずしも設ける必要はない。そして、シャッター閉検知センサ３３が設けられていない場合には、図９のフローチャートのステップ１およびステップ４がなく、シャッター１６が閉じても、製氷機１０の製氷運転は直ぐには止まらない。そして、氷が閉じたシャッター１６上に溜まって満氷センサ１１に達すると、製氷機１０の製氷運転が停止する。したがって、製氷運転を速やかに停止するためには、シャッター閉検知センサ３３が設けられていることが好ましい。
（２）製氷機の形式は、適宜選択可能で、セル式やオーガ式でも、また、他の形式でも可能である。
（３）貯氷カートの氷取出口の配置位置や、開閉扉の形式は適宜変更可能である。たとえば、氷取出口を、貯氷カート２の前後左右の一側面に設けることも可能である。また、前面扉５１を設けないことも可能である。ただし、前面扉５１を設けると、貯氷カート２がカート用空間８に収納されている状態でも、貯氷カート２内の氷を取り出すことができる。
【００２９】
（４）貯氷カート２の氷受入開口である上面開口を開閉する上面扉４１は、形式や構造などを適宜変更することが可能である。たとえば、上面扉４１を一枚扉にする（上面前扉４１ａをなくして、上面後扉４１ｂのみとする）ことも可能である。
（５）シャッター閉検知センサ３３や満氷センサ１１などの配置や形式などは適宜変更可能である。
（６）本発明の製氷装置は、病院、ホテル、スーパーやレストランなど適宜場所に設置可能である。
（７）製氷架台１の上部には、製氷機１０の製氷部（冷却器など）を設ける必要がある。しかしながら、製氷機１０の圧縮機や凝縮器などは、製氷架台１の上部に設けることも可能であるが、製氷架台１の外側に設けることも可能である。たとえば、製氷架台１の横側に設けることも可能である。
【００３０】
【発明の効果】
本発明の製氷装置によれば、製氷架台のカート用空間に、貯氷カートが収納かつ引出し可能であるので、製氷架台の製氷部で製氷された氷を直接貯氷カートに溜めて、適宜場所に移送することができる。しかも、製氷架台の氷落下口にシャッターが設けられている場合には、カート用空間に貯氷カートがない際に、このシャッターで氷落下口を閉じることができる。したがって、製氷架台の氷落下口から氷が床などに落下することを極力防止することができる。
【００３１】
また、前記製氷架台の氷落下口には、前記シャッターの上方に満氷センサが設置されている。この様に、満氷センサが製氷架台の氷落下口に設けられているので、各貯氷カートには満氷センサが不要となり、満氷センサへの配線などが簡単となる。しかも、シャッターが閉じている際にも、その上に氷が溜まり、この氷を満氷センサが検知することにより、製氷運転を停止させることができる。
【００３２】
さらに、前記シャッターが前記氷落下口を閉じたことを検知するシャッター閉検知センサが設けられ、このシャッター閉検知センサが、前記氷落下口の閉じられたことを検知すると、前記製氷機の製氷運転を停止させる制御装置が設けられていることがある。この様な場合には、シャッターが閉じられると、直ちに製氷運転を停止させることが可能となる。その結果、シャッター上に溜まる氷が減少し、ランニングコストを削減することができる。
【００３３】
そして、前記シャッターには回動自在な操作用ハンドルが設けられ、このシャッターが開位置にある際には、前記カート用空間に収納されている貯氷カートの引出しを妨げる引出防止位置に前記操作用ハンドルを回動することが可能な場合がある。この様な場合には、貯氷カートがカート用空間に収納されている際には、シャッターの操作用ハンドルを引出防止位置に回動しておくことができる。したがって、貯氷カートをカート用空間から引き出す際に、シャッターの操作用ハンドルを引出防止位置から回動させる必要があり、シャッターの閉め忘れを防止することができる。その結果、貯氷カートが引き出されている際に、製氷架台の氷落下口から氷が床などに落下することを極力防止することができる。
【００３４】
また、前記貯氷カートの氷受入開口には、氷受入開口用開閉扉が設けられ、この氷受入開口用開閉扉には係合部が設けられ、前記製氷架台には、貯氷カートのカート用空間への収納動作により氷受入開口用開閉扉を開けるべく前記氷受入開口用開閉扉の係合部に係合する開忘れ防止具が設けられていることがある。この様な場合には、貯氷カートをカート用空間に収納した際には、氷受入開口用開閉扉が自動的に開く。ところで、氷受入開口用開閉扉が閉められていると、製氷架台の氷落下口から貯氷カートに氷が落下することが、この閉められている氷受入開口用開閉扉で妨げられる。しかしながら、前述のように、氷受入開口用開閉扉が自動的に開く場合には、氷受入開口用開閉扉に妨げられずに、製氷架台の氷落下口から貯氷カートに氷が円滑に落下することができる。
【００３５】
さらに、前記貯氷カートの前後左右の少なくとも一側面に、氷取出口が設けられている場合には、貯氷カートがカート用空間に収納されている際にも、側面に設けられている氷取出口から氷を簡単に取り出すことができる。
そして、前記貯氷カートの移動手段がキャスターで構成されている場合には、簡単に貯氷カートを移動させることができる。
【図面の簡単な説明】
【図１】図１は本発明にかかる製氷装置の実施の形態の説明図で、（ａ）が正面図、（ｂ）が側面図である。
【図２】図２は貯氷カートの説明図で、（ａ）が正面図、（ｂ）が側面図、（ｃ）が平面図である。
【図３】図３は製氷装置の説明図で、（ａ）がシャッターを閉めた状態での一部切欠き断面図、（ｂ）がシャッターを開けた状態での一部切欠き断面図、（ｃ）が（ｂ）のＣ矢視図である。
【図４】図４はシャッター閉検知センサを設置した場合の製氷装置の説明図で、（ａ）が正面図、（ｂ）が一部切欠き断面図である。
【図５】図５はシャッターの操作用ハンドルで貯氷カートの引出しを阻止する際の製氷装置の説明図で、（ａ）が阻止する前の状態の製氷装置の一部切欠き断面図、（ｂ）が阻止している状態での製氷装置の一部切欠き断面図である。
【図６】図６はシャッターの操作用ハンドルの説明図で、（ａ）が正面図、（ｂ）が側面図である。
【図７】図７は上面扉を自動的に開ける機構の説明図で、（ａ）が貯氷カートを引き出した状態での製氷装置の一部切欠き断面図、（ｂ）が貯氷カートを収納した状態での製氷装置の一部切欠き断面図である。
【図８】図８は制御装置の入出力図である。
【図９】図９は製氷運転の開始および停止のフローチャートである。
【符号の説明】
１  製氷架台
２  貯氷カート
８  カート用空間
９  氷落下口
１０  製氷機
１１  満氷センサ
１６  氷落下口のシャッター
２１  シャッターの操作用ハンドル
３３  シャッター閉検知センサ
４１  上面扉（氷受入開口用開閉扉）
４３  係合部
４６  開忘れ防止具
５８  キャスター（移動手段）
７１  制御装置
【図１】
0004789356.tif 000002
【図２】
0004789356.tif 000003
【図３】
0004789356.tif 000004
【図４】
0004789356.tif 000005
【図５】
0004789356.tif 000006
【図６】
0004789356.tif 000007
【図７】
0004789356.tif 000008
【図８】
0004789356.tif 000009
【図９】
0004789356.tif 000010